(57)【要約】【課題】軽量気泡コンクリートパネルを建物躯体へ取り付ける際の作業性、建物躯体の搬送性および現場での取り扱い性の向上に資する技術を提供すること。【解決手段】鉄骨梁３０の平面部３０ａに溶接等によりＬ字型プレート４を取り付け固定し、六角ボルト６およびナット７によってメガネボルト２を当該Ｌ字型プレート４に回転可能に取り付ける。これにより、メガネボルト２が鉄骨梁３０に対して直立した状態と倒伏した状態との間で状態変更可能に支持される。軽量気泡コンクリートパネル５０を鉄骨梁３０へ取り付ける際にのみメガネボルト２を鉄骨梁３０に対して直立した状態とすることにより、軽量気泡コンクリートパネル５０の鉄骨梁３０への取り付け作業の作業性向上と鉄骨梁３０の搬送性および取り扱い性の向上とを両立させることができる。【選択図】図２
2015218434.tif 000002
【特許請求の範囲】
【請求項１】
建物躯体上に敷設された複数の軽量気泡コンクリートパネルを前記建物躯体に取り付け固定するための取付金具であって、
ネジ部を有するボルト部材と、
前記建物躯体に固定され、前記ボルト部材を前記建物躯体に対して直立した状態と倒伏した状態との間で状態変更可能に支持するよう構成された支持部材と、
前記ボルト部材の前記ネジ部にネジ係合されると共に、前記建物躯体との間で前記軽量気泡コンクリートパネルを締め付け固定するよう構成された固定部材と、
を備える取付金具。
【請求項２】
前記ボルト部材の一端には、該ボルト部材の中心軸線方向と直交する方向の中心軸線を有する貫通孔が構成されており、
前記支持部材は、前記貫通孔に挿通されて前記ボルト部材を回転可能に支持するよう構成された軸部材と、前記建物躯体に固定されると共に前記軸部材を支持するよう構成されたベース部材と、を有しており、
前記ボルト部材は、前記ベース部材に対して回転されることにより、前記建物躯体に対して直立した状態と倒伏した状態とに状態変更可能に構成されている請求項１に記載の取付金具。
【請求項３】
軽量気泡コンクリートパネルが取り付け固定される建物躯体であって、
ネジ部を有するボルト部材を前記建物躯体に対して直立した状態と倒伏した状態との間で状態変更可能に支持するよう構成された支持部材を備える建物躯体。
【請求項４】
建物躯体上に敷設された複数の軽量気泡コンクリートパネルを前記建物躯体に取り付け固定するための軽量気泡コンクリートパネル取付構造であって、
ネジ部を有するボルト部材と、
前記建物躯体に固定され、前記ボルト部材を前記建物躯体に対して直立した状態と倒伏した状態との間で状態変更可能に支持するよう構成された支持部材と、
前記ボルト部材の前記ネジ部に挿通されるよう構成された座金部材と、
前記座金部材を介して前記ボルト部材の前記ネジ部にネジ係合されるよう構成されたナット部材と、
を備え、
前記建物躯体と前記座金部材との間で前記軽量気泡コンクリートパネルを挟み込んだ状態で、前記ナット部材を締め付けることにより、前記軽量気泡コンクリートパネルを前記建物躯体に取り付け固定する軽量気泡コンクリートパネル取付構造。
【請求項５】
建物躯体上に敷設された複数の軽量気泡コンクリートパネルを前記建物躯体に取り付け固定するための軽量気泡コンクリートパネル取付構造であって、
ネジ部を有するボルト部材と、
前記建物躯体に固定され、前記ボルト部材を前記建物躯体に対して直立した状態と倒伏した状態との間で状態変更可能に支持するよう構成された支持部材と、
前記ボルト部材の前記ネジ部にネジ係合するネジ孔を中央部に有する円板状座金と、
を備え、
前記建物躯体と前記円板状座金との間で前記軽量気泡コンクリートパネルを挟み込んだ状態で、前記円板状座金を締め付けることにより、前記軽量気泡コンクリートパネルを前記建物躯体に取り付け固定する軽量気泡コンクリートパネル取付構造。
【発明の詳細な説明】
【技術分野】
【０００１】
本発明は、建物躯体上に敷設された複数の軽量気泡コンクリートパネルを前記建物躯体に取り付け固定するための取付金具および上面に複数の軽量気泡コンクリートパネルが敷設された状態で当該軽量気泡コンクリートパネルが取り付け固定される建物躯体並びに建物躯体に軽量気泡コンクリートパネルを取り付けるための軽量気泡コンクリートパネル取付構造に関する。
【背景技術】
【０００２】
特開２００９−１２１１８１号公報（特許文献１）には、軸方向が垂直方向を向くように鉄骨梁の平面部上に固定されたナットと、当該ナットに座金を介してネジ係合されるボルトと、を備え、鉄骨梁と座金との間で軽量コンクリートパネルを挟み込むように取り付け固定するよう構成された軽量気泡コンクリートパネル用取付金具が開示されている。当該軽量気泡コンクリートパネル用取付金具では、乾式で施工可能で、工期短縮と安全性および経済性の向上を図ることができる。
【先行技術文献】
【特許文献】
【０００３】
【特許文献１】特開２００９−１２１１８１号公報
【発明の概要】
【発明が解決しようとする課題】
【０００４】
しかしながら、上述した軽量気泡コンクリートパネル用取付金具では、目視によりボルトの先端をナットにネジ係合させる必要があるため作業が煩雑となり、作業性という点において、なお改良の余地がある。ナットに代えてボルトを鉄骨梁の平面部上に固定する構成とすることにより、軽量気泡コンクリートパネルの鉄骨梁への取り付け作業性は向上するが、ボルトを鉄骨梁に固定する際の作業性や取り付け精度がナットを鉄骨梁に固定する場合に比べて悪化してしまう。また、鉄骨梁からボルトが突出する構成となるため、鉄骨梁の搬送性や現場での取り扱い性も悪化してしまう。
【０００５】
本発明は、上記に鑑みてなされたものであり、軽量気泡コンクリートパネルを建物躯体へ取り付ける際の作業性、建物躯体の搬送性および現場での取り扱い性の向上に資する技術を提供することを目的とする。
【課題を解決するための手段】
【０００６】
本発明の取付金具および建物躯体並びに軽量気泡コンクリートパネルの取付構造は、上述の目的を達成するために以下の手段を採った。
【０００７】
本発明に係る取付金具の好ましい形態によれば、建物躯体上に敷設された複数の軽量気泡コンクリートパネルを建物躯体に取り付け固定するための取付金具が構成される。当該取付金具は、ボルト部材と、支持部材と、固定部材と、を備えている。ボルト部材は、ネジ部を有している。また、支持部材は、建物躯体に固定され、ボルト部材を建物躯体に対して直立した状態と倒伏した状態との間で状態変更可能に支持するように構成されている。そして、固定部材は、ボルト部材のネジ部にネジ係合されると共に、建物躯体との間で軽量気泡コンクリートパネルを締め付け固定するように構成されている。本発明における「固定部材」は、典型的には、ボルト部材の一端に挿通され軽量気泡コンクリートパネルを建物躯体との間に挟み込む座金部材と、ボルト部材のネジ部にネジ係合されるナット部材がこれに該当するが、ボルト部材のネジ部にネジ係合するネジ孔を座金部材自体に設けることにより、ナット部材を省略した構成を好適に包含する。
【０００８】
また、本発明に係る取付金具の更なる形態によれば、ボルト部材の一端には、ボルト部材の中心軸線方向と直交する方向の中心軸線を有する貫通孔が構成されている。また、支持部材は、貫通孔に挿通されてボルト部材を回転可能に支持するよう構成された軸部材と、建物躯体に固定されると共に前記軸部材を支持するよう構成されたベース部材と、を有している。そして、ボルト部材は、ベース部材に対して回転されることにより、建物躯体に対して直立した状態と倒伏した状態とに状態変更可能に構成されている。
【０００９】
さらに、本発明に係る建物躯体の好ましい形態によれば、軽量気泡コンクリートパネルが取り付け固定される建物躯体が構成される。当該建物躯体は、ネジ部を有するボルト部材を建物躯体に対して直立した状態と倒伏した状態との間で状態変更可能に支持するよう構成された支持部材を備えている。
【００１０】
また、本発明に係る第１の軽量気泡コンクリートパネル取付構造の好ましい形態によれば、建物躯体上に敷設された複数の軽量気泡コンクリートパネルを建物躯体に取り付け固定するための軽量気泡コンクリートパネル取付構造が構成される。当該第１の軽量気泡コンクリートパネル取付構造では、ネジ部を有するボルト部材と、建物躯体に固定されボルト部材を建物躯体に対して直立した状態と倒伏した状態との間で状態変更可能に支持するように構成された支持部材と、ボルト部材のネジ部に挿通されるよう構成された座金部材と、座金部材を介してボルト部材のネジ部にネジ係合されるよう構成されたナット部材と、を備えている。そして、建物躯体と座金部材との間で軽量気泡コンクリートパネルを挟み込んだ状態で、ナット部材を締め付けることにより、軽量気泡コンクリートパネルを建物躯体に取り付け固定する。
【００１１】
また、本発明に係る第２の軽量気泡コンクリートパネル取付構造の好ましい形態によれば、建物躯体上に敷設された複数の軽量気泡コンクリートパネルを建物躯体に取り付け固定するための軽量気泡コンクリートパネル取付構造が構成される。当該第２の軽量気泡コンクリートパネル取付構造では、ネジ部を有するボルト部材と、建物躯体に固定されボルト部材を建物躯体に対して直立した状態と倒伏した状態との間で状態変更可能に支持するよう構成された支持部材と、ボルト部材のネジ部にネジ係合するネジ孔を中央部に有する円板状座金と、を備えている。そして、建物躯体と円板状座金との間で軽量気泡コンクリートパネルを挟み込んだ状態で、円板状座金を締め付けることにより、軽量気泡コンクリートパネルを建物躯体に取り付け固定する。
【発明の効果】
【００１２】
本発明によれば、軽量気泡コンクリートパネルを建物躯体へ取り付ける際の作業性、建物躯体の搬送性および現場での取り扱い性の向上に資する技術を提供することができる。
【図面の簡単な説明】
【００１３】
【図１】本発明の実施の形態に係る取付金具１０の構成の概略を示す概略構成図である。
【図２】本発明の実施の形態に係る取付金具１０を用いて軽量気泡コンクリートパネル５０を鉄骨梁３０に取り付けた状態を示す斜視図である。
【図３】ボルト部材１０２の外観を示す外観図である。
【図４】ボルト部材２０２の外観を示す外観図である。
【図５】変形例の取付金具３１０の構成の概略を示す概略構成図である。
【図６】変形例の取付金具４１０の構成の概略を示す概略構成図である。
【図７】変形例の取付金具５１０の構成の概略を示す概略構成図である。
【図８】変形例の取付金具６１０の構成の概略を示す概略構成図である。
【発明を実施するための形態】
【００１４】
次に、本発明を実施するための形態を実施例を用いて説明する。
【００１５】
本発明の実施の形態に係る取付金具１０は、図１に示すように、鉄骨梁３０の平面部３０ａに取り付け固定されたＬ字型プレート４と、メガネボルト２と、当該メガネボルト２をＬ字型プレート４に取り付けるための六角ボルト６およびナット７と、メガネボルト２に挿通される座金８と、メガネボルト２にネジ係合されるナット９と、を備えている。本発明の実施の形態に係る取付金具１０は、図２に示すように、鉄骨梁３０の平面部３０ａ上に敷設された複数枚の軽量気泡コンクリートパネル５０を当該鉄骨梁３０に取り付け固定する金具として構成されている。
【００１６】
鉄骨梁３０は、本発明における「建物躯体」に対応し、軽量気泡コンクリートパネル５０は、本発明における「軽量気泡コンクリートパネル」に対応する実施構成の一例である。メガネボルト２は、本発明における「ボルト部材」に対応する実施構成の一例である。また、Ｌ字型プレート４は、本発明における「ベース部材」に対応し、六角ボルト６は、本発明における「軸部材」に対応し、Ｌ字型プレート４および六角ボルト６は、本発明における「支持部材」に対応する実施構成の一例である。さらに、座金８およびナット９は、本発明における「固定部材」に対応する実施構成の一例である。
【００１７】
Ｌ字型プレート４は、長手方向に直角な断面形状がＬ字状に構成されており、図１に示すように、鉄骨梁３０の平面部３０ａに溶接等によって取り付け固定される取付部４ａと、貫通孔４ｃを有すると共に取付部４ａに直角に接続された立片部４ｂと、を備えている。本実施の形態では、取付部４ａと立片部４ｂとは一体に成形されている。なお、取付部４ａと立片部４ｂとを別体に成形した後に一体にする構成としても良い。
【００１８】
Ｌ字型プレート４は、立片部４ｂが軽量気泡コンクリートパネル５０間に構成される目地部Ｊの領域内に配置されるように平面部３０ａに取り付け固定される。本実施の形態では、図２に示すように、軽量気泡コンクリートパネル５０の短辺小口間に構成される目地部Ｊの領域内に立片部４ｂを配置する構成とした。
【００１９】
図１に示すように、メガネボルト２には、雄ネジ２ａが形成されている。また、メガネボルト２の中心軸線方向の一端には、円環状部２ｂが形成されている。円環状部２ｂは、円孔２ｃを有している。円孔２ｃは、中心軸線がメガネボルト２の中心軸線に直交するように構成されている。円孔２ｃの内径は、六角ボルト６の軸部外径よりも若干大きく形成されている。なお、メガネボルト２の長さ寸法は、軽量気泡コンクリートパネル５０の厚さ方向寸法よりも若干短くなるように形成されている。雄ネジ２ａは、本発明における「ネジ部」に対応し、円孔２ｃは、本発明における「貫通孔」に対応する実施構成の一例である。
【００２０】
メガネボルト２は、円孔２ｃをＬ字型プレート４の貫通孔４ｃに整合させた状態で、円孔２ｃおよび貫通孔４ｃに六角ボルト６を挿通し、当該六角ボルト６にナット７をネジ係合させることにより、Ｌ字型プレート４に取り付けられる。ここで、鉄骨梁３０が工場から出荷される際においては、ナット７の六角ボルト６へのネジ係合は、不完全締め付け状態とされている。
【００２１】
これにより、メガネボルト２がＬ字型プレート４に対して回転可能な状態で支持されることになる。即ち、メガネボルト２が鉄骨梁３０の平面部３０ａに対して直立した状態と倒伏した状態との間で状態変更可能に支持される。
【００２２】
なお、本実施の形態では、鉄骨梁３０は取付金具１０が予め取り付けられた状態で工場から出荷される構成として説明するが、取付金具１０のＬ字型プレート４への取り付けは、軽量気泡コンクリートパネル５０を鉄骨梁３０に取り付ける際に現場で行う構成としても良いことは言うまでもない。ここで、現場で取付金具１０を鉄骨梁３０に取り付ける態様としては、工場から出荷される際に予めＬ字型プレート４のみが取り付けられた鉄骨梁３０に現場でメガネボルト２のみを取り付ける態様の他、現場でＬ字型プレート４およびメガネボルト２の両方を鉄骨梁３０に取り付ける態様が包含される。
【００２３】
座金８は、円板状に構成されており、中央部にメガネボルト２の雄ネジ２ａが挿通される挿通孔８ａが形成されている。また、ナット９は、一般的な六角ナットとして構成されている。
【００２４】
次に、こうして構成された取付金具１０を用いて軽量気泡コンクリートパネル５０を鉄骨梁３０に取り付ける際の様子について説明する。軽量気泡コンクリートパネル５０を鉄骨梁３０に取り付けるに際しては、まず、鉄骨梁３０の平面部３０ａに倒伏した状態となっているメガネボルト２を、図２に示すように、平面部３０aに対して直立した状態となるように回転させる。そして、当該状態でナット７を完全に締め付ける。
【００２５】
続いて、二枚の軽量気泡コンクリートパネル５０を、各短辺小口が鉄骨梁３０の長手方向に沿うように各短辺小口同士を突き合わせた状態で鉄骨梁３０の平面部３０ａに設置する。このとき、各軽量気泡コンクリートパネル５０の上面（図２における上側の面）であって各短辺小口側に形成された各半円凹部５０ａ同士が整合されて、ほぼ円形をした円形凹部が構成される。当該円形凹部の内径および深さ寸法は、座金８の外径および座金８とナット９を合わせた厚さ寸法よりも若干大きな内径および深さ寸法を有するように構成されている。これにより、座金８およびナット９が円形凹部内に設置された際に、軽量気泡コンクリートパネル５０の上面（図２における上側の面）から座金８およびナット９が突出することはない。
【００２６】
そして、当該座金８が収容されるように、座金８をメガネボルト２の雄ネジ２ａに挿通し、雄ネジ２ａにナット９をネジ係合させナット９の締め付けを行う。これにより、二枚の軽量気泡コンクリートパネル５０は、鉄骨梁３０と座金８の間で挟み込まれた状態で、鉄骨梁３０に取り付け固定される。
【００２７】
以上説明した本発明の実施の形態に係る取付金具１０によれば、六角ボルト６およびナット７によってメガネボルト２をＬ字型プレート４に回転可能に取り付ける構成であるため、メガネボルト２を鉄骨梁３０に対して直立した状態と倒伏した状態との間で状態変更可能となる。これにより、鉄骨梁３０を搬送する際などの軽量気泡コンクリートパネル５０の鉄骨梁３０への取り付け作業を行う前までは、メガネボルト２を鉄骨梁３０に対して倒伏した状態とし、軽量気泡コンクリートパネル５０の鉄骨梁３０への取り付け作業を行う際には、メガネボルト２を鉄骨梁３０に対して直立した状態にすることができる。
【００２８】
この結果、軽量気泡コンクリートパネル５０を鉄骨梁３０へ取り付ける際に、メガネボルト２の雄ネジ２ａにナット９をネジ係合させ易くなるため、取り付け作業性が向上する。また、メガネボルト２を鉄骨梁３０に対して寝かせることができるため、鉄骨梁３０の搬送性や現場での取り扱い性が向上する。
【００２９】
また、本発明の実施の形態に係る取付金具１０によれば、取付金具１０を予め鉄骨梁３０に取り付けた状態で工場から出荷する構成であるため、現場での作業時間を短縮することができる。
【００３０】
また、本発明の実施の形態に係る取付金具１０によれば、六角ボルト６およびナット７によってメガネボルト２をＬ字型プレート４に回転可能に取り付けるのみの構成であるため、簡易な構成で軽量気泡コンクリートパネル５０を鉄骨梁３０へ取り付ける際の作業性、鉄骨梁３０の搬送性および現場での取り扱い性の向上を実現することができる。
【００３１】
本実施の形態では、円形状の座金８を用いる構成としたが、これに限らない。例えば、
方形状の座金を用いる構成としてもかまわない。
【００３２】
本実施の形態では、座金８およびナット９を用いる構成としたが、ナット９は無くても良い。この場合、座金がネジ孔を有する構成とし、当該座金自体をメガネボルト２にネジ係合させることにより、軽量気泡コンクリートパネル５０を鉄骨梁３０に取り付け固定する構成とすれば良い。
【００３３】
本実施の形態では、軽量気泡コンクリートパネル５０の短辺小口間に構成される目地部Ｊの領域内に立片部４ｂが配置されるようにＬ字型プレート４を鉄骨梁３０の平面部３０ａに取り付け固定する構成としたが、これに限らない。例えば、軽量気泡コンクリートパネル５０の長辺小口間に構成される目地部Ｊの領域内に立片部４ｂが配置されるようにＬ字型プレート４を鉄骨梁３０の平面部３０ａに取り付け固定する構成としても良い。あるいは、立片部４ｂが目地部Ｊの領域内に配置されていなくても良い。
さらに、４枚のパネル端部が集まる十字目地部にＬ字型プレート４を配置しても良い。
【００３４】
本実施の形態では、メガネボルト２を用いる構成としたが、メガネボルト２に代えてボルト部材１０２あるいはボルト部材２０２を用いる構成としても良い。ボルト部材１０２は、図３に示すように、軸線方向の一端に円環状部２ｂに代えて貫通孔１０２ｃを有する平坦部１０２ｂが形成される構成をしている。また、ボルト部材２０２は、図４に示すように、円環状部２ｂおよび平坦部１０２ｂを有さず、軸部に貫通孔２０２ｃが形成されるのみの構成をしている。なお、貫通孔１０２ｃ，２０２ｃの中心軸線は、ボルト部材１０２，２０２の軸線方向に対して直交するように構成されている。ボルト部材１０２，２０２は、本発明における「ボルト部材」に対応する実施構成の一例である。
【００３５】
本実施の形態では、長手方向に直角な断面形状がＬ字状に構成されたＬ字型プレート４を用いる構成としたが、これに限らない。例えば、図５ないし図８の変形例の取付金具３１０，４１０，５１０，６１０に例示する構成としても良い。
【００３６】
取付金具３１０は、図５に示すように、Ｌ字型プレート４を一枚の平プレート３０４に変えた点を除いて本実施の形態の取付金具１０と同じ構成をしている。取付金具４１０は、図６に示すように、平プレート３０４を二枚用いる点を除いて変形例の取付金具３１０と同じ構成をしており、当該二枚の平プレート３０４間にメガネボルト２を挟み込む構成である。平プレート３０４は、本発明における「支持部材」および「ベース部材」に対応する実施構成の一例である。
【００３７】
取付金具５１０は、図７に示すように、Ｌ字型プレート４をＵ字型プレート５０４に変えた点を除いて本実施の形態の取付金具１０と同じ構成をしている。Ｕ字型プレート５０４は、鉄骨梁３０の平面部３０ａに取り付け固定される取付部５０４ａと、貫通孔５０４ｃを有すると共に取付部５０４ａに直角に接続された二つの立片部５０４ｂと、を備えており、当該二つの立片部５０４ｂ間にメガネボルト２を挟み込む構成である。Ｕ字型プレート５０４は、本発明における「支持部材」および「ベース部材」に対応する実施構成の一例である。
【００３８】
取付金具６１０は、図８に示すように、Ｌ字型プレート４を長ナット６０４に変えた点を除いて本実施の形態の取付金具１０と同じ構成をしている。この場合、ナット７が不要となるため、部品点数を削減することができる。なお、長ナット６０４は、一般的な六角ナットを用いても良いし、ネジ孔の軸線方向に直角な断面形状が六角形以外の多角形、あるいは、円形や楕円形に形成されたナットを用いても良い。長ナット６０４は、本発明における「支持部材」および「ベース部材」に対応する実施構成の一例である。
【００３９】
本実施の形態および上述した変形例の取付金具１０，３１０，４１０，５１０，６１０では、六角ボルト６やナット７を用いてＬ字型プレート４や平プレート３０４、Ｕ字型プレート５０４にメガネボルト２を回転可能に支持する構成としたが、これに限らない。例えば、六角ボルト６やナット７に代えてピン部材（例えば、リベット）を用いる構成としても良い。ピン部材は、本発明における「軸部材」に対応する実施構成の一例である。
【００４０】
あるいは、ボールジョイント構造を用いる構成としても良い。この場合、ソケットを鉄骨梁３０の平面部３０ａに溶接等により取り付け固定し、軸線方向の一端に球面部を有すると共に他端に雄ネジが形成されたボールスタッドをソケットに係合する構成とすれば良い。ボールスタッドは、本発明における「ボルト部材」に対応する実施構成の一例である。
【００４１】
本実施の形態では、鉄骨梁３０が工場から出荷される際においては、ナット７の六角ボルト６へのネジ係合は不完全締め付け状態とし、軽量気泡コンクリートパネル５０を鉄骨梁３０に取り付けるに際に、鉄骨梁３０の平面部３０aに対してメガネボルト２を直立した状態でナット７を六角ボルト６に完全に締め付ける構成としたが、ナット７を六角ボルト６に完全に締め付ける工程は省略しても良い。
【００４２】
本実施形態は、本発明を実施するための形態の一例を示すものである。したがって、本発明は、本実施形態の構成に限定されるものではない。
【符号の説明】
【００４３】
２        メガネボルト（ボルト部材）
２ａ      雄ネジ（ネジ部）
２ｂ      円環状部
２ｃ      円孔（貫通孔）
４        Ｌ字型プレート（支持部材、ベース部材）
４ａ      取付部
４ｂ      立片部
４ｃ      貫通孔
６        六角ボルト（軸部材、支持部材）
６ａ      ピン部材（軸部材）
７        ナット
８        座金（座金部材、固定部材）
８ａ      挿通孔
９        ナット（ナット部材、固定部材）
１０      取付金具（取付金具）
３０      鉄骨梁（建物躯体）
３０ａ    平面部
５０      軽量気泡コンクリートパネル（軽量気泡コンクリートパネル）
５０ａ    半円凹部
１０２    ボルト部材（ボルト部材）
１０２ｂ  平坦部
１０２ｃ  円孔（貫通孔）
２０２    ボルト部材（ボルト部材）
２０２ｃ  円孔（貫通孔）
３０４    平プレート（支持部材、ベース部材）
３１０    取付金具（取付金具）
４１０    取付金具（取付金具）
５０４    Ｕ字型プレート（支持部材、ベース部材）
５０４ａ  取付部
５０４ｂ  立片部
６１０    取付金具（取付金具）
６０４    長ナット（支持部材、ベース部材）
【図１】
2015218434.tif 000003
【図２】
2015218434.tif 000004
【図３】
2015218434.tif 000005
【図４】
2015218434.tif 000006
【図５】
2015218434.tif 000007
【図６】
2015218434.tif 000008
【図７】
2015218434.tif 000009
【図８】
2015218434.tif 000010